(57)【要約】  均一で通常の厚さのクリアな側面を有し、クリアな流体と容器の相乗効果によって高度に連接されたレンズ及びレンズアレイを作成する方法及び装置は、通常の方法及び通常の価格で製造可能である。容器の側面は、レンズ又はレンズアレイの表面形状に形成され、容器壁の屈折率と近い屈折率を持つ、その中のクリアな流体と協働して、通常はガラス又はプラスチックの単一レンズによって行われる機能を果たし、容器の中又は外の平面に光を集める。このような容器は、水、ソーダ、アルコール、液体せっけん、他の多数の液体製品等のクリアな流体容器用の進歩したラベル表示として及び表示専用の装置としての双方に使用でき、非実用的に厚く高価なレンズの代わりとなる。【選択図】図１
2019507073.tif 000002
【特許請求の範囲】
【請求項１】
実質的に透明又はクリアな流体のための容器であって、
内包されるクリアな流体がレンズ効果を完結させて、焦点面で焦点が合うように、レンズ及び／又はレンズアレイの表面輪郭形状に形成され、丸みを帯びた又は湾曲したボトル又は容器の表面輪郭形状よりも実質的により連接的である、薄くてクリアな側面を備える、容器。
【請求項２】
請求項１に記載の容器であって、
前記容器の少なくとも１つの外側面がレンズ又はレンズアレイとして形成され、前記外側面の焦点面が、対向する平滑な平坦な側面の外側面にあり、前記側面に、内側に画像を有するラベルが貼り付けられている容器。
【請求項３】
請求項２に記載の容器であって、
２つの容器の側面が互いに貼り付けられ、デュアル容器を形成する容器。
【請求項４】
請求項３に記載の容器であって、
前記側面は、凹部が形成されていて、ラベルを含んでおり、前記ラベルの外側面が、貼り付けを容易にするために前記容器の残りの外側面と同一平面にあり、前記容器は、２つの分離した容器口からアクセス可能な２つの異なる種類のクリアな流体を保持できる容器。
【請求項５】
請求項３に記載の容器であって、
前記容器の一方側まで到達するように凹部部分が延ばされて薄い空洞を画定し、両側に画像を有するラベルが前記薄い空洞内に挿入可能である容器。
【請求項６】
請求項５に記載の容器であって、
前記凹部領域の壁部は、前記挿入されるラベルの平面に焦点が合うようなレンズ形状を有し、前記壁部の対向する外側面は平滑な平面である容器。
【請求項７】
請求項３に記載の容器であって、
前記デュアル容器は、前記流体が両半分に充填され、前記容器が口を１つのみ備えるように一体としてモールド成形される容器。
【請求項８】
請求項１に記載の容器であって、
前記容器の外側面は、レンズ又はレンズアレイの表面輪郭形状に形成され、前記外側面のレンズ効果は内部に内包されるクリアな流体によって完結し、前記外側面の焦点面は前記流体の容積内に存在する容器。
【請求項９】
請求項８に記載の容器であって、
前記内包されるクリアな流体では溶けないインクで、薄いフレキシブル基板に挿入画像が印刷され、前記挿入画像は、前記容器の口から挿入されると、自ら又は前記容器の側面に形成されるスペーサーのサポートによってレンズ状側面の焦点面に配置される形状となるように、外側に復元することによって開く容器。
【請求項１０】
請求項１に記載の容器であって、
平らな又は湾曲した実質的に平坦な、液体の満たされた容器は、その幅及び高さに対して実質的により薄く、通常の実用的な流体容器としてというよりはむしろ、主として表示レンズ又はレンズアレイとして機能する容器。
【請求項１１】
請求項１に記載の容器であって、
前記焦点面は、対向する平滑な平坦な側面の外側面に存在する容器。
【請求項１２】
請求項１に記載の容器であって、
前記焦点面が前記容器内に存在する容器。
【請求項１３】
請求項１２に記載の容器であって、
前記クリアな流体内の前記レンズとなる側面の前記焦点面に画像が挿入され、前記画像が動かされることができるように、前記画像に浮揚装置が設けられる容器。
【請求項１４】
請求項１３に記載の容器であって、
前記画像は、磁気又は可変の浮力手段の少なくとも１つにより動かされ得る容器。
【請求項１５】
実質的に透明又はクリアな流体のための容器であって、
内包されるクリアな流体がレンズ効果を完結させて、焦点面で焦点が合うように、レンズ及び／又はレンズアレイの表面輪郭形状に形成され、丸みを帯びた又は湾曲したボトル又は容器の表面輪郭形状よりも実質的により連接的である、第１クリア側面を備え、
前記容器は、画像付きラベルを保持するラベル位置領域を前記焦点面で画定する、容器。
【請求項１６】
請求項１５に記載の容器であって、
前記焦点面は、前記第１側面に対向する第２側面に配置され、前記ラベル位置領域は、前記第２側面上に配置される容器。
【請求項１７】
請求項１５に記載の容器であって、
互いに貼り付けられた２つの容器を備える容器。
【請求項１８】
請求項１７に記載の容器であって、
前記２つの容器は、流体連通しない個別の内部流体内包領域を画定し、前記容器は２つの口を有する容器。
【請求項１９】
請求項１７に記載の容器であって、
前記２つの容器は、流体連通する２つの内部流体内包領域を画定し、前記容器は１つの口を有する容器。
【請求項２０】
請求項１７に記載の容器であって、
前記ラベル位置領域は、前記２つの容器の間に位置する容器。
【請求項２１】
請求項２０に記載の容器であって、
前記ラベル位置領域は、両面に画像を有するラベルを保持する容器。
【請求項２２】
請求項１５に記載の容器であって、
前記ラベル位置領域は、前記第１クリア側面から広がる前記容器内に位置する容器。
【請求項２３】
請求項１５に記載の容器であって、
前記ラベル位置領域は、前記容器内の凹部領域により画定される容器。
【請求項２４】
請求項２２に記載の容器であって、
前記ラベルは、不溶性インクで印刷される画像を含み、前記ラベルは、前記容器の口から挿入されるように構成されている薄いフレキシブル基板である容器。
【請求項２５】
請求項２４に記載の容器であって、
前記基板は、前記容器の口から挿入されるように折り畳まれ、挿入後に展開して基本的に平坦となり、前記焦点面において分散されている容器。
【請求項２６】
請求項２５に記載の容器であって、
前記容器は、前記焦点面において前記基板を位置づける空間を有する容器。
【請求項２７】
請求項１５に記載の容器であって、
前記レンズは、内包される流体と共に前記容器内に焦点面を画定する容器。
【請求項２８】
請求項１５に記載の容器であって、
前記第１側面と前記第２側面の間の距離は、実質的に前記容器の幅及び高さ未満である容器。
【請求項２９】
請求項１５に記載の容器であって、
前記ラベル位置領域は、前記容器外からアクセスされ、前記容器が形成された後にラベルの挿入を可能とする容器。
【請求項３０】
請求項１５に記載の容器であって、
前記レンズは、内包される流体と共に前記第２側面の外側面に焦点面を画定する容器。
【請求項３１】
請求項１５に記載の容器であって、
前記ラベル位置領域は、前記容器内に位置づけられ、前記容器内で浮かぶラベルを含む容器。
【請求項３２】
請求項３１に記載の容器であって、
前記ラベルは、磁気的特性を有し、外側のマグネットによって前記ラベルを動かし得る容器。
【請求項３３】
請求項３１に記載の容器であって、
前記ラベルの位置を前記ラベル位置領域内で制御する装置を備える容器。
【発明の詳細な説明】
【技術分野】
【０００１】
本発明は、レンチキュラーラベルを有する液体容器に関し、より具体的には、容器の側壁に形成されたレンズ又はレンズアレイを有する容器に関する。
【背景技術】
【０００２】
包装産業において、流体容器用のレンチキュラーラベルのように、レンチキュラー効果を利用することは周知である。レンチキュラーラベルの欠点は、通常の印刷価格に対して相対的に高価格であることである。ラベルもレンズも薄くなくてはならないため、１インチ毎のレンズ数を多くする必要がある。従って、表示可能な画像の数が減少し、品質管理上の問題が増加する。
【０００３】
他のレンズ効果としては、例えば、酒瓶の一部において、バーの背後で目立つように、湾曲したボトルの自然な拡大効果によって対向側にあるラベルの内向きの画像が映し出されることが知られている。多くのプラスチックウォーターボトルは、不規則な表面を有し、中の水がランダムなレンズ効果を呈している。
【０００４】
セキグチらによる米国特許番号５，４９４，４４５は、空ボトルを有する容器アセンブリを使用して説明している。容器アセンブリの空ボトルは、背面側の壁に蝶の画像を重畳させ（組み合わせ）、対向する表面側の壁に格子を有している。空ボトルは、格子として印刷された透明ラベルを有し、背面側の壁に他の印刷ラベルを有している。しかしながら、この「格子」方法は、「バリアストリップ」方式などに固有の光損失に悩まされることとなる。
【０００５】
レイモンドによる米国特許番号７，０５７，８２３Ｂ１では、容器の一側面に画像を配置し、バリアストリップの代わりに、対向側にモールド成形されたレンズで映し出すことが考察されている。しかしながら、このことは、さらなるガラス又はプラスチックの使用を必要とする。ガラス容器の適正強度に関しては、容器の厚さは、一般に３／１６インチ程度以上で、少なくともレンズの最も狭い部位と同じ程度の厚さでなくてはならない。レンズは、一側面の大部分を覆う場合、素材の容積に加算される。あるいは、レンズがボトルの外側と同じ湾曲平面にあわせてくぼむ場合、この要求事項はボトル全体をさらに厚くする。約５０００又は６０００分の１インチとなり得るプラスチック容器において、レンズは、通常使用されるプラスチック量を実質的に増加させ、また、壁を均一な厚さにすることを要求するブロー成形又は射出成形容器において、製造上の問題を生じさせることがある。
【０００６】
セキグチ及びレイモンドによる設計及び方法は両者ともデメリットがある。セキグチの方法では、画像がレンズの方法に劣り、レイモンドの技術では、製造コストが通常よりも高くなる。
【発明の概要】
【０００７】
本発明は、容器の側面をプラスチック又はガラスと均一な厚さを有するレンズ又はレンズアレイの表面形状に形成することで、容器の側面が内包されるクリアな流体と協働作用してレンズ効果を完結させる最適にクリアで明るい表示を提供する。製造コストは、射出成形、ブロー成形、又はその他の方法で形成可能な普通の容器及びラベルの製造コストを超えることなく、レンチキュラーレンズ、蠅の目レンズ、又はその他の種類のレンズに見当（とんぼ）を合わせた印刷を必要としない。レンズ又はレンズアレイの表面輪郭形状は、丸みを帯びた又は湾曲したボトル又は容器の表面輪郭形状よりも、実質的により連接している。
【０００８】
第１実施形態は、少なくとも２つの平行な側面を有するクリア側面の容器である。少なくとも２つの平行な側面の１つは、レンズ又はレンズアレイの表面として形成されている。レンズ又はレンズアレイの焦点面は、対向する平滑な平坦な側面の背面にある。対向側面には任意でわずかな凹部領域があってもよく、そこにラベルが接着される。ラベルの内向き側にはレンズ又はレンズアレイに対応する画像が印刷されている。２つのこのような容器を平らな側面同士で貼り合わせると、その両外側面を通して画像を表示できるデュアル表示容器が作成できる。接合した凹部領域は、底面又は側面からアクセスできるようにして、最初に各容器にラベルを貼っておくのではなく、両面画像を挿入できるようにしてもよい。
【０００９】
このようなデュアル表示容器は、２つの容器を貼り合わせるのではなく１つの容器として形成してもよい。クリアな流体が両半分に充填されるように作られることで、口を１つしか必要としない。ダブル又はシングルのいずれかの形で形成されたデュアル表示容器において、凹部部分は平らな側面又はレンズ輪郭の形に形成された側面であってもよい。レンズ形状の場合、凹部部分はわずかに拡大されてよく、レンズは、挿入画像のそれに焦点面を有し、容器外側は鑑賞のために平らになっている。中空部分の側面が平らである場合、容器の外側面がレンズ形状に形成され、その焦点距離は挿入画像の平面にある。
【００１０】
他の実施形態では、画像は薄いフレキシブルシートに印刷される。フレキシブルシートは容器の口を通って挿入され、画像シート又は容器又はそれ自体のいずれかに形成されるスペーサーのサポートにより、復元することによって開き、側面が作り出すレンズに平行であって、その側面が作り出すレンズの焦点面の位置に収まる。容器及び画像はプラスチック又は任意の適切な材料であってよい。流体は、必要となる光学特性を発揮するのに十分なほどクリアであれば、薄く色付けられても、炭酸ガスを入れられても、粘性があってもよい。
【００１１】
さらなる実施形態は、従来の実用的容器というよりはむしろ、レンチキュラー又は他のレンズアレイ表示に関する。上述した容器と同じ特性を発揮する平らな又は湾曲した実質的に平坦な容器は、通常のレンズアレイで使用されるレンズよりもっと大きな任意のレンズを使用して、画像表示のみの目的で作られてもよい。いかなる場合でも、レンズは空の状態で配送され、水等のクリアな流体は現地で充填できるので、使用プラスチックの量及び配送重量の両方でコストが実質的に低減されるだろう。非常に大きなレンズ又は非常に長い焦点距離を有するレンズは、その厚さ又は厚いスペーサーへの積層のためにより多くのプラスチックを通常、必要とするが、そのような場合に、このような表示容器は特に経済的となるだろう。このような液体充填表示レンズはまた、薄い画像をレンズの焦点面に配置するように挿入できる。薄い画像は、付属の浮揚装置を使用して、モータシャフト上の外部マグネットによって動作又は移動させられる、付属の鉄系金属片を使用して、事実上、無重量で容易に動かされ、鑑賞者の側では一切の動きを必要とすることなく、画像に劇的な変化をもたらす。さらに、容器にわずかな圧力をかけることで画像を上下に移動させる「浮沈子」法により、浮かぶ画像の浮力を変化させると、新型のおもちゃ又はディスプレイが創作できる可能性がある。このような液体充填レンズは、野外表示にも役立つであろう。その場合、通常は日光が画像を熱してしまうが、内包液体がその熱を顕著に低下させる。
【００１２】
クリア容器のレンズ形側面が内包されるクリアな流体と協働して働くことで、丸みを帯びた又は湾曲したボトル又は容器が作る自然の効果を超えるレンズ効果を発揮するのであれば、円形、長方形、卵形、多角形、及び非対称の形状を含む多数の異なる容器形状及び構成が可能である。一度使用してから、容器に水又は任意のクリアな液体を再充填して画像を表示してもよい。
【図面の簡単な説明】
【００１３】
【図１】本発明による実施形態の斜視図である。
【図２】背面同士で貼り付けられたダブル容器である実施形態の上部から見た図面で、各容器は、それ自体の口と、個別の内部領域とを有する。
【図３】内部で容器が繋がっており、１つの口を有するダブル容器である実施形態の上部から見た図面、及び同じ容器の斜視図である。
【図４】レンズ壁から間隔を空けて画像を有する他の実施形態である。
【図５】レンズアレイ内の１つのレンズの模式的な近似、及び実質的に容器壁と同じ屈折率を有するクリアな液体が容器に入っている時に光線がたどる経路と、空の容器内を通る光線がたどる経路との比較を示す。
【発明を実施するための形態】
【００１４】
本発明のいくつかの実施形態が説明されるが、本発明はこれらの実施形態に限定されない。
【００１５】
図１は、略長方形の容器「Ａ」の斜視図を示す。その正面、すなわち第１側面は、レンズアレイの表面形状に形成され、容器「Ａ」内のクリアな流体と協働作用することでそのレンズ効果を達成する。第１側面は、その後方、対向側、すなわち第２側面の外側面に焦点面を有し、その平面には対応する画像を有するラベルが貼り付けられている。
【００１６】
図２は、２つの貼り付けられた容器からなるダブル容器を示す。外側面の焦点面となる位置にある２つの容器間の接合された凹部空間に２つの容器のラベルがぴったりと嵌合する。ダブル容器は、油と酢又はシャンプーとコンディショナー等の２つの異なる液体を保持でき、２つの各容器はそれ自体の容器口からのみアクセス可能である。凹部空間は、貼り付けられたラベル又は両面ラベルのいずれかを組み立て後に挿入できるように作成してもよい。
【００１７】
図３は、２つの接合した容器の単一形成型を示す。図２のダブル容器のように、１枚の両面ラベルが挿入されている状態で、２つの容器の内部空間が繋がっており、１つの口がある。
【００１８】
図４は、レンズとなる側面が容器内のフレキシブル基板に印刷された挿入画像の平面に焦点を合わせる容器を示す。フレキシブル基板は丸められるか、そうでない場合、圧縮されて、容器口から挿入できる。その後、フレキシブル画像又は容器内に形成されたスペーサーによって、復元することによって開き、レンズとなる側面の焦点面に配置される。
【００１９】
図５は、アレイ内の１つのレンズ要素の拡大図及び流体の入った容器内で光線がたどる経路に対して空の容器内で光線がたどる経路を示す。容器壁「Ａ」は均一な厚さで、プラスチックボトルにおいては約０．００５インチほどの薄さであってよい。領域「Ｂ」に示されるように、容器が空の場合、光線「Ｄ」は、その方向からほとんどずれずに壁部を通過する。これは、屈折率が１である外部空気からガラス又はプラスチックの約１．５（プラスチックボトルで一般に使用されるＰＥＴプラスチックの場合、若干高い）に変化したものが、光線が壁部を通って、容器内の空気に戻る時に元に戻るからである。結果として、光線の焦点が合わない。
【００２０】
しかしながら、領域「Ｃ」に示されるように、実質的に屈折率の合う液体で容器が満たされている場合、容器壁の薄い湾曲面は内包流体と協働して、２種類のガラスからできる「複」レンズによく似た単一レンズとして作用する。光線は、容器表面の曲率半径によって決定される通りに焦点を合わせる。レンズアレイの対向側にある容器のラベル「Ｅ」及びその画像は、レンズアレイに対応して、内側に面し、アレイの焦点面に位置する。説明のために、光線は容器内へと移動するように描かれているが、もちろん両方向へと移動している。容器のアレイ側にいる観察者は、ラベルの内側画像を、立体的、動画、又はこのようなレンズアレイに共通して関連するこれらの特性のいずれかを表現する光学的表示として見る。
【００２１】
いくつかの実施形態が説明されたが、本発明はこれらの実施形態に限らず、当業者が考え得るその他の変更及び変形例が可能である。本発明の適用範囲は以下の請求項によってのみ定義される。
【図１】
2019507073.tif 000003
【図２】
2019507073.tif 000004
【図３】
2019507073.tif 000005
【図４】
2019507073.tif 000006
【図５】
2019507073.tif 000007
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
実質的に透明な流体のためのクリア壁容器であって、
内包されるクリアな流体自体がレンズ又はレンズアレイの形状を有し、効果的にレンズ又はレンズアレイとなって、前記容器内又は前記容器外のいずれかの焦点面に焦点を合わせるように、レンズ及び／又はレンズアレイの表面輪郭形状に形成され、単なる円筒形容器又は湾曲側面容器の表面輪郭形状よりも実質的により連接的である、薄くてクリアな側面を備える、容器。
【請求項２】
請求項１に記載の容器であって、
前記容器の少なくとも１つの外側面がレンズ又はレンズアレイとして形成され、前記外側面の焦点面が、対向する平滑な平坦な側面の外側面にあり、前記側面に、内側に画像を有するラベルが貼り付けられている容器。
【請求項３】
請求項２に記載の容器であって、
２つの容器の側面が互いに貼り付けられ、デュアル容器を形成する容器。
【請求項４】
請求項３に記載の容器であって、
前記側面は、凹部が形成されていて、ラベルを含んでおり、前記ラベルの外側面が、貼り付けを容易にするために前記容器の残りの外側面と同一平面にあり、前記容器は、２つの分離した容器口からアクセス可能な２つの異なる種類のクリアな流体を保持できる容器。
【請求項５】
請求項３に記載の容器であって、
前記容器の一方側まで到達するように凹部部分が延ばされて薄い空洞を画定し、両側に画像を有するラベルが前記薄い空洞内に挿入可能である容器。
【請求項６】
請求項５に記載の容器であって、
前記凹部領域の壁部は、前記挿入されるラベルの平面に焦点が合うようなレンズ形状を有し、前記壁部の対向する外側面は平滑な平面である容器。
【請求項７】
請求項３に記載の容器であって、
前記デュアル容器は、前記流体が両半分に充填され、前記容器が口を１つのみ備えるように一体としてモールド成形される容器。
【請求項８】
請求項１に記載の容器であって、
前記容器の外側面は、レンズ又はレンズアレイの表面輪郭形状に形成され、前記外側面のレンズ効果は内部に内包されるクリアな流体によって完結し、前記外側面の焦点面は前記流体の容積内に存在する容器。
【請求項９】
請求項８に記載の容器であって、
前記内包されるクリアな流体では溶けないインクで、薄いフレキシブル基板に挿入画像が印刷され、前記挿入画像は、前記容器の口から挿入されると、自ら又は前記容器の側面に形成されるスペーサーのサポートによってレンズ状側面の焦点面に配置される形状となるように、外側に復元することによって開く容器。
【請求項１０】
請求項１に記載の容器であって、
平らな又は湾曲した実質的に平坦な、液体の満たされた容器は、その幅及び高さに対して実質的により薄く、通常の実用的な流体容器としてというよりはむしろ、主として表示レンズ又はレンズアレイとして機能する容器。
【請求項１１】
請求項１に記載の容器であって、
前記焦点面は、対向する平滑な平坦な側面の外側面に存在する容器。
【請求項１２】
請求項１に記載の容器であって、
前記焦点面が前記容器内に存在する容器。
【請求項１３】
請求項１２に記載の容器であって、
前記クリアな流体内の前記レンズとなる側面の前記焦点面に画像が挿入され、前記画像が動かされることができるように、前記画像に浮揚装置が設けられる容器。
【請求項１４】
請求項１３に記載の容器であって、
前記画像は、磁気又は可変の浮力手段の少なくとも１つにより動かされ得る容器。
【請求項１５】
実質的に透明な流体のためのクリア壁容器であって、
内包されるクリアな流体自体がレンズ又はレンズアレイの形状を有し、効果的にレンズ又はレンズアレイとなって、前記容器内又は前記容器外のいずれかの焦点面に焦点を合わせるレンズ機能を果たすように、レンズ及び／又はレンズアレイの表面輪郭形状に形成され、単なる円筒形容器又は湾曲側面容器よりも実質的により連接的である、第１壁部を備え、
前記容器は、画像付きラベルを保持するラベル位置領域を前記焦点面で画定する、容器。
【請求項１６】
請求項１５に記載の容器であって、
前記焦点面は、前記第１壁部に対向する第２壁部に配置され、前記ラベル位置領域は、前記第２壁部上に配置される容器。
【請求項１７】
請求項１５に記載の容器であって、
互いに貼り付けられた２つの容器を備える容器。
【請求項１８】
請求項１７に記載の容器であって、
前記２つの容器は、流体連通しない個別の内部流体内包領域を画定し、前記容器は２つの口を有する容器。
【請求項１９】
請求項１７に記載の容器であって、
前記２つの容器は、流体連通する２つの内部流体内包領域を画定し、前記容器は１つの口を有する容器。
【請求項２０】
請求項１７に記載の容器であって、
前記ラベル位置領域は、前記２つの容器の間に位置する容器。
【請求項２１】
請求項２０に記載の容器であって、
前記ラベル位置領域は、両面に画像を有するラベルを保持する容器。
【請求項２２】
請求項１５に記載の容器であって、
前記ラベル位置領域は、前記第１壁部から広がる前記容器内に位置する容器。
【請求項２３】
請求項１５に記載の容器であって、
前記ラベル位置領域は、前記容器内の凹部領域により画定される容器。
【請求項２４】
請求項２２に記載の容器であって、
前記ラベルは、不溶性インクで印刷される画像を含み、前記ラベルは、前記容器の口から挿入されるように構成されている薄いフレキシブル基板である容器。
【請求項２５】
請求項２４に記載の容器であって、
前記基板は、前記容器の口から挿入されるように折り畳まれ、挿入後に展開して基本的に平坦となり、前記焦点面において分散されている容器。
【請求項２６】
請求項２５に記載の容器であって、
前記容器は、前記焦点面において前記基板を位置づける空間を有する容器。
【請求項２７】
請求項１５に記載の容器であって、
前記レンズは、内包される流体と共に前記容器内に焦点面を画定する容器。
【請求項２８】
請求項１５に記載の容器であって、
前記第１壁部と前記第２壁部の間の距離は、実質的に前記容器の幅及び高さ未満である容器。
【請求項２９】
請求項１５に記載の容器であって、
前記ラベル位置領域は、前記容器外からアクセスされ、前記容器が形成された後にラベルの挿入を可能とする容器。
【請求項３０】
請求項１５に記載の容器であって、
前記レンズは、内包される流体と共に前記第２側面の外側面に焦点面を画定する容器。
【請求項３１】
請求項１５に記載の容器であって、
前記ラベル位置領域は、前記容器内に位置づけられ、前記容器内で浮かぶラベルを含む容器。
【請求項３２】
請求項３１に記載の容器であって、
前記ラベルは、磁気的特性を有し、外側のマグネットによって前記ラベルを動かし得る容器。
【請求項３３】
請求項３１に記載の容器であって、
前記ラベルの位置を前記ラベル位置領域内で制御する装置を備える容器。
【国際調査報告】
2019507073.tif 000008